(57)【要約】  複数の製品を運搬するためのカートン。カートンは、トップパネルと、弱化形態の第１の線においてトップパネルと折り曲げ可能に接合されている少なくとも１つのサイドパネルと、トップパネルおよび少なくとも１つのサイドパネルと折り曲げ可能に接続されているトップ保持部を備える。トップ保持部は、弱化形態の第２の線でトップパネルと折り曲げ可能に接続されているトップ保持パネルと、弱化形態の第１の線の一部でトップ保持パネルと折り曲げ可能に接続されているサイド保持パネルと、弱化形態の第３の線で少なくとも１つのサイドパネルと折り曲げ可能に接続されているタックインパネルと、それぞれ少なくとも１つの切り込み部と少なくとも１つのスコア（刻み目）線部を有する切り目／折り線がある弱化形態の第２の線と弱化形態の第３の線を備える。
2010534597.tif 000002
【特許請求の範囲】
【請求項１】
複数の物品を運搬するためのカートンであって、該カートンは、  
トップパネルと、
弱化形態の第１の線にて該トップパネルと折り曲げ可能に接続されているサイドパネルと、
該トップパネルおよび該サイドパネルと折り曲げ可能に接続されているトップ保持部を備え、
該トップ保持部は、弱化形態の第２の線にて該トップパネルと折り曲げ可能に接続されているトップ保持パネルと、該弱化形態の第１の線の一部にて該トップ保持パネルと折り曲げ可能に接続されているサイド保持パネルと、弱化形態の第３の線において少なくとも1つのサイドパネルと折り曲げ可能に接続されているタックインパネルとを備え、
該弱化形態の第２の線および該弱化形態の第３の線が、それぞれ、少なくとも1つの切り込み部と、少なくとも1つの刻み線部とを有する切り目／折り線を備えている、カートン。
【請求項２】
該弱化形態の第２の線の該少なくとも1つの切り込み部が、該弱化形態の第１の線の第１の端部と隣接し、該弱化形態の第３の線の該少なくとも1つの切り込み部が該弱化形態の第１の線の第２の端部と隣接し、該第１の端部と該第２の端部が該弱化形態の第１の線の対向する端部である、請求項１に記載のカートン。
【請求項３】
該弱化形態の第２の線の該少なくとも1つの切り込み部が、該カートンの縁部からの第１の間隔で該第１の端部と当接し、該弱化形態の第３の線の該少なくとも1つの切り込み部が、該カートンのエッジからの第２の間隔で該弱化形態の第２の線と交差し、該第２の間隔が該第１の間隔とほぼ同じである、請求項２に記載のカートン。
【請求項４】
該弱化形態の第１の線の一部が、該弱化形態の第２の線の該少なくとも1つの切り込み部と該弱化形態の第３の線の該少なくとも1つの切り込み部のそれぞれの端部間に位置している、請求項２に記載のカートン。
【請求項５】
該弱化形態の第１の線が折り線である、請求項２に記載のカートン。
【請求項６】
該カートンはある厚さを有する素材から成り、該弱化形態の第１の線の該少なくとも1つの切り込み部と該弱化形態の第２の線の該少なくとも１つの切り込み部とが該素材の該厚さを貫通して延在しており、該折り線は、該素材の該厚さ貫通していない凹みを該素材の表面における備えている、請求項５に記載のカートン。
【請求項７】
更に、該弱化形態の第２の線の該少なくとも1つの切り込み部及び該弱化形態の第３の線の該少なくとも1つの切り込み部においてそれぞれ形成された開口部を備え、該弱化形態の第１の線の該一部が該開口部間に位置している、請求項４に記載のカートン。
【請求項８】
該サイド保持パネルが弱化形態の第４の線にて該タックインパネルと折り曲げ可能に接続されている、請求項４に記載のカートン。
【請求項９】
該弱化形態の第４の線が、該弱化形態の第２の線と該弱化形態の第３の線の該各端部にほぼ隣接する位置で該弱化形態の第１の線と交差する、請求項８に記載のカートン。
【請求項１０】
該弱化形態の第４の線から該カートンの縁部まで延在する切込み部をさらに備える、請求項８に記載のカートン。
【請求項１１】
該切り込み部が、ほぼＪ型である、請求項１０に記載のカートン。
【請求項１２】
該弱化形態の第４の線が該弱化形態の第１の線から該カートンの縁部の切り欠きまで延在する、請求項８に記載のカートン。
【請求項１３】
該トップ保持部が該カートンの開口端部の各トップ隅部に位置している２つのトップ保持部を備える、請求項１に記載のカートン。
【請求項１４】
更に、該カートン内に容器を備え、該容器が各トップ保持部と隣接し、かつ各トップ保持パネルおよびサイド保持パネルとの接触により該カートン内で保持される、請求項１３に記載のカートン。
【請求項１５】
複数の製品を保持するためのカートンを形成のためのブランクであって、該ブランクは、
トップパネルと、
弱化形態の第１の線にて該トップパネルと折り曲げ可能に接続されているサイドパネルと、
該トップパネルと該サイドパネルとに折り曲げ可能に接続されている保持機能部を備え、
該保持機能部は、弱化形態の第２の線にて該トップパネルと折り曲げ可能に接続されているトップ保持パネルと、該弱化形態の第１の線の一部にて該トップ保持パネルと折り曲げ可能に接続されているサイド保持パネルと、弱化形態の第３の線において少なくとも1つのサイドパネルと折り曲げ可能に接続されているタックインパネルとを備え、
該弱化形態の第２の線および該弱化形態の第３の線が、それぞれ、少なくとも1つの切り込み部と、少なくとも1つの刻み線部とを有する切り目／折り線を備えている、ブランク。
【請求項１６】
該弱化形態の第２の線の該少なくとも1つの切り込み部が、該弱化形態の第１の線の第１の端部と隣接し、該弱化形態の第３の線の該少なくとも1つの切り込み部が該弱化形態の第１の線の第２の端部と隣接し、該第１の端部と該第２の端部が該弱化形態の第１の線の対向する端部である、請求項１５に記載のブランク。
【請求項１７】
該弱化形態の第２の線の該少なくとも1つの切り込み部が、該ブランクの縁部からの第１の間隔において該第１の端部と当接し、該弱化形態の第３の線の該少なくとも1つの切り込み部が、該ブランクの縁部からの第２の間隔にて該弱化形態の第２の線と交差し、該第２の間隔が該第１の間隔とほぼ同じである、請求項１６に記載のブランク。
【請求項１８】
該弱化形態の第１の線の一部が、該弱化形態の第２の線の該少なくとも1つの切り込み部と該弱化形態の第３の線の該少なくとも1つの切り込み部のそれぞれの端部間に位置している、請求項１６に記載のブランク。
【請求項１９】
該弱化形態の第１の線が折り曲げ線であり、該ブランクはある厚さを有する素材から成り、該弱化形態の第１の線の該少なくとも1つの切り込み部と該弱化形態の第２の線の該少なくとも１つの切り込み部は該素材の厚さを貫通するように延在しており、該折り線は、該素材の厚さを貫通していない凹みを該素材の表面に備えている、請求項１６に記載のブランク。
【請求項２０】
該サイド保持パネルが弱化形態の第４の線にて該タックインパネルに折り曲げ可能に接続されている、請求項１８に記載のブランク。
【請求項２１】
該弱化形態の第４の線が、該弱化形態の第２の線と該弱化形態の第３の線の該各端部に隣接する位置で該弱化形態の第１の線と交差する、請求項２０に記載のブランク。
【請求項２２】
該弱化形態の第４の線から該ブランクの縁部まで延在する切り込み部をさらに備え、該切り込み部が、ほぼＪ型である、請求項２１に記載のブランク。
【請求項２３】
該弱化形態の第４の線が該弱化形態の第１の線から該ブランクの縁部の切り欠きまで延在する、請求項２１に記載のブランク。
【発明の詳細な説明】
【技術分野】
【０００１】
本発明は、概して、飲料容器またはその他のタイプの物品を保持、およびディスペンスするための運搬具（キャリヤー）に関する。
【０００２】
［関連出願の記述］
本願は、２００７年７月２６日付申請の米国仮特許出願６０／９５２，０９５号に対し優先権を主張し、上記に述べた仮特許出願の全ての内容は、ここに参照されることで緩用される。
【発明の概要】
【０００３】
概して、本発明の一態様は、複数の物品を運搬するためのカートンに関する。カートンは、トップ保持パネルと、サイド保持パネルと、タックインパネルから構成されるトップ保持部を備える。トップ保持パネルと、サイド保持パネルと、タックインパネルは、弱化形態の線の交差部にて結合されている。該交差部は、弱化形態の各線の少なくとも２つの切れ目部と、少なくとも１つの折り線を備える。
【０００４】
別の態様では、本発明は、ここで示され、そして／または述べられている様な、ブランクからカートンを形成する方法に関する。
【０００５】
別の態様では、本発明は、概して、複数の物品を運搬するためのカートンに関する。カートンは、トップパネルと、弱化形態の第１の線でトップパネルと折り曲げ可能に接続されているサイドパネルと、トップパネルとサイドパネルに折り曲げ可能に接続されているトップ保持部を備える。トップ保持部は、弱化形態の第２の線で折り曲げ可能に接続されているトップ保持パネルと、弱化形態の第１の線の一部でトップ保持パネルと折り曲げ可能に接続されているサイド保持パネルと、弱化形態の第３の線で少なくとも１つのサイドパネルと折り曲げ可能に接続されているタックインパネルを備える。弱化形態の第２の線と、弱化形態の第３の線は、それぞれ、少なくとも１つの切り込み部と少なくとも１つのスコア（刻み目）部を持つ切り目／折り線を備える。
【０００６】
別の態様では、本発明は、概して、複数の物品を保持するカートンを形成するためのブランクに関する。該ブランクは、トップパネルと、弱化形態の第１の線でトップパネルと折り曲げ可能に接続されているサイドパネルと、トップパネルと少なくとも１つのサイドパネルとに折り曲げ可能に接続されている保持機能部を備える。保持機能部は、弱化形態の第２の線でトップパネルと折り曲げ可能に接続されているトップ保持パネルと、弱化形態の第１の線でトップ保持パネルと折り曲げ可能に接続されているサイド保持パネルと、弱化形態の第３の線で少なくとも１つのサイドパネルと折り曲げ可能に接続されているタックインパネルを備える。弱化形態の第２の線と弱化形態の第３の線は、それぞれ、少なくとも１つの切り目部と少なくとも１つのスコア（刻み目）部を持つ切り目／折り線を備える。
【０００７】
その他の本発明の開示内容に関する態様、機能および詳細については、図面や記載された特許請求の範囲と共に以下の実施態様の例示に関する詳細な記述の参照をもって、さらに完全に理解することができる。
【０００８】
当業者は、以下に列挙された図面を参照し、以下の実施形態の詳細説明を読むことにより、上記の利点、その他の利点、および多様な追加の実施態様の利点を理解するであろう。そのうえ、以下で考察される図面の多様な機能は、必ずしも一定の縮尺比にて描かれているとは限らない。図面中の多様な機能や要素は、本発明の実施形態をより明確に示すために、拡大または縮小されている。図面中、対応する要素は、対応する参照番号によって示される。
【図面の簡単な説明】
【０００９】
【図１】本発明の第１の実施形態に従い、カートンを形成するために使用されるブランクの外側表面の平面図
【図１Ａ】図１の部分的な拡大図
【図２】図１に容器が置かれたブランクの内側表面の斜視図
【図３】図２の部分的な拡大図
【図４】カートンを形成するために折り曲げられた図２のブランクの部分的な拡大図
【図５】カートンのボトムの斜視図
【図６】カートンの内側の詳細を示すために容器が除かれた状態のカートン上部の斜視図
【図７】本発明の第２の実施形態に従い、カートンを形成するために使用されるブランクの外側表面の平面図
【図７Ａ】図７の部分的な拡大図
【発明を実施するための最良の形態】
【００１０】
典型的実施形態の詳細説明
本発明は、概して、容器、ボトル、缶などの物品を入れるカートンや、運搬具の多様な機能に関する。該物品は、例えば、食品や飲料製品を包装するために使用できる。該物品は、特定の食品や飲料品を包装するために適した素材から作成が可能であり、該素材にはアルミニウムおよび／あるいはその他の金属、ガラス、ＰＥＴ、ＬＤＰＥ、ＬＬＤＰＥ、ＨＤＰＥ、ＰＰ、ＰＳ、ＰＶＣ、ＥＶＯＨ、およびナイロンなどのプラスチックなど、あるいはこれらの任意の組合せを含むが、これらに限定されない。
【００１１】
本発明に従い、カートンや運搬具はいかなる形状の物品に対しても適用できる。本発明の範囲を限定する目的のためでなく、説明目的のため、以下の詳細説明は運搬具の態様内に配置される飲料容器（例：アルミニウムの飲料缶）を説明する。本明細書において、「下部」、「ボトム」、「上部」および「トップ」という用語は、完全に組立てられ、直立したカートンに関し決定される配置を示す。
【００１２】
本発明の第１の態様に従い、図１はブランク３の外側表面２の平面図であり、カートン５（図４）を形成するために使用される。カートン５は、容器C（図３）の様な複数の物品を収容するために使用可能である。図示された実施態様では、容器Cは飲料缶であり、そしてカートン５は６つの容器を収容するため、２ｘ３の配列の単一層のサイズにて作られている。しかし、カートン５は、異なる容量や同じ容量の容器Cを単一層以上、および／または異なる行／列の配列（例：１ｘ６、２ｘ６、２ｘ４、２ｘ２、２ｘ６ｘ２、２ｘ４ｘ２、２ｘ９）にて保持するサイズとされ、形成されることが理解される。図示された実施態様では、カートン５は、概して、容器Cを覆う開口端部６、８（図６）を有する運搬具である（例えば、カートン５はラップアラウンド型カートンと言うことができる）。別な態様において、端部６、８が、エンドフラップ（図示せず）や他の閉じ機構の様な、少なくとも部分的に閉じられるといった具合にカートン５は形作られ、配置されることも可能である。
【００１３】
ブランク３は長手方向軸Ｌ１と横軸Ｌ２を有している。図示された実施態様では、該ブランク３は、横軸方向の第１の折り線２１において第１のサイドパネル２０と折り曲げ可能に接続されているトップパネル１０と、横軸方向の第２の折り線３１において第１のサイドパネル２０と折り曲げ可能に接続されている第１のボトムパネル３０と、横軸方向の第３の折り線４１にてトップパネル１０と折り曲げ可能に接続されている第２のサイドパネル４０と、横軸方向の第４の折り線５１にて第２のサイドパネル４０と折り曲げ可能に接続されている第２のボトムパネル５０を備える。図示された実施態様では、第１のボトムパネル３０は、横軸方向の折り線３３と３１にて範囲を定められた第１の傾斜パネル３２を含む。第２のボトムパネル５０は、横軸方向の折り線５１と５３にて範囲を定められた第２の傾斜パネル５２を含む。
【００１４】
第１のボトムパネル３０は、組立てられたカートン５においては内側ボトムパネルフラップであり、主雌係止用端部６０を形成する切り欠きを含み、該主雌係止用端部６０は、第２ボトムパネル５０の主雄係止用タブ突起部７０と係合するように形成され、配置されている。
第１のボトムパネル３０は、また、第２のボトムパネル５０の外側第２係止用タブ突起部７２を受容するように形成され、配置されたスリット６２を含む。第２のボトムパネル５０は、完成されたカートン５においては外側ボトムパネルであり、主雄係止用タブ突起部７０を画成するスリットによって中断されている横方向の折り線７４を含む。ブランク３の係止用要素は、カートン５と共に使用することに適した典型的なボトムパネル係止用構成を説明するため図示されているが、当該開示から逸脱することなく、ボトムパネル係止用構成の代替的な形態を用いてもよいことが理解される。
【００１５】
1つの実施態様では、スリットは、横方向の折り線３７にて第１のボトムパネル３０に折り曲げ可能に取り付けられたヒール切り欠きパネル３６を、少なくとも部分的に画成している。それぞれのヒール切り欠きパネル３６は、カートン５に充填された容器Cの底部外周エッジを受けるための大きさとなっている。同様に、ヒール切り欠きパネル５６は、横方向の折り線５７にて第２のボトムパネル５０に折り曲げ可能に取り付けられている。図１では、ブランク３は、２ｘ３（２列３行）にアレンジされた６つの容器Cへ適用するために配置された各ボトムパネル３０、５０において、３つのヒール切り欠きパネル３６、５６を含む。代替的には、当該開示の範囲から逸脱することなく、該ヒール切り欠きパネル３６、５６は、別な態様に構成することが出来、もしくは、ヒール切り欠きパネルを省いてもよい。
【００１６】
図１に示される様に、ブランク３は、カートン５の取っ手（ハンドル）７を形成するための取っ手機能を含む。該取っ手機能は第１の指フラップ１２および第２の指フラップ１４を含み、それぞれの指フラップはスリットにより形成され、そして各縦方向の折り線１３、１５にてトップパネル１０と折り曲げ可能に取り付けられている。取っ手７はカートン５を運搬するための他の機能を含ませることが可能である。指フラップ１２、１４を取り省いてもよく、もしくは別形状に形成し配置してもよい。また、取っ手７をカートンから省いてもよい。
【００１７】
例示された実施態様においては、トップパネル１０は、各隅部に配置されたトップ保持部８０の形態のトップ保持機能を有するほぼ矩形になっている。各トップ保持部８０は、弱化形態の第１の傾斜線８５（例：折り線）にてトップパネル１０と折り曲げ可能に取り付けられたトップ保持パネル８２と、横方向の折り線２１、４１の一部にてトップ保持パネルと折り曲げ可能に取り付けられたサイド保持パネル８４と、弱化形態の第２の傾斜線８７（例：折り線）にてサイドパネル２０、４０の１つと折り曲げ可能に取り付けられたタックインパネル８６とを含む。各タックインパネル８６は、弱化された第３の傾斜線８９（例：折り線）にて各サイド保持パネル８４と折り曲げ可能に付けられる。図１の実施態様においては、各タックインパネル８６とサイド保持パネル８４は、第３の弱化形態の傾斜線８９からブランク３の縁部９２まで延在している切り込み９１によって分離されている。図１Ａに示されている様に、該切り込み９１は、弱化形態の第３の線８９に隣接する湾曲部９１ａと、ブランク３の縁部９２まで延在している直線部９１ｂを有するように、ほぼＪ型のスリットとされている。代替的には、当該開示から逸脱することなく、切り込み９１（例えば、スリット）を他の形状にすることができる。
【００１８】
例示された実施態様においては、弱化形態の傾斜線８７は切り欠き部９５ａ乃至９５ｅ、およびスコア（刻み目）線部９７ａ乃至９７ｅを含む切り目／折り線備える。実施例においては、弱化形態の線８７は５つの切り欠き部９５ａ乃至９５ｅ、および６つのスコア（刻み目）線部９７ａ乃至９７ｅを含むが、弱化形態の線８７は別の形態としてもよい。ブランクがカートン５に形成される際、各切り欠き部９５ａ乃至９５ｅは、ブランク３に開口部９８ａ乃至９８ｅ（図４）の裂け目を形成するように、ブランクの厚さを実質的に貫通して延在している切り目を備える。ブランクがスコア線の長さ方向に沿って裂け、もしくは分離しないように、各スコア（刻み目）線部９７ａ乃至９７ｅは、ブランク３の厚さを貫通していない凹みをブランクの表面に備える。弱化形態の線８７の切り込みの一部は、各横軸方向の折り線２１、４１の一方の第１の縁部に隣接している。明細書全体を通して、各切り目、切り込み部は、より具体的にはスリットの形態としてもよい。
【００１９】
例示された実施態様においては、弱化形態の線８５は切り込み部８５ａとスコア（刻み目）線部８５ｂを含む切り目／折り線である。該切り込み部８５ａは各横方向の折り線２１、４１の一方の第２の縁部に隣接している。切り込み部９５ａ、８５ａは横方向の折り線２１、４１の部分まで伸び交差する。もしくは、切り込み部９５ａ、８５ａは横方向の折り線２１、４１と隣接し、及び／または隣接した部分で終わる。ブランク３がカートン５に形成される際、切り込み部８５ａは、開口部９４（図４）を形成する。切り込み部９５ａ、８５ａ間の横方向の折り線２１、４１の一部は、各切り込み部により形成された開口部９８a、９４間の素材２２（図４）の接合部分を形成する。弱化形態の線８７のスコア（刻み目）線の部分９７ａ乃至９７ｅは、切り込み部９５ａ乃至９５ｅにて形成された開口部９８a乃至９８ｅ間の素材の接合部分をそれぞれ形成する。
【００２０】
例示された実施態様においては、横方向の折り線２１、４１および傾斜折り線８９は弱化形態の線であり、スコア（刻み目）線の長さ方向に沿ってブランクが裂けたり、分離したりしないように、ブランクの厚みを貫通していない凹みをブランク３の表面に備えたスコア（刻み目）線を形成している。当該開示から逸脱することなく、弱化形態の２１、４１、８９の線は、例示以外の他の態様となりうる（例：連続的な切り目／折り線、非連続的な切り目／折り線）。
【００２１】
例示された実施態様においては、弱化形態の線８７の切り込み部９５ａは、ブランク３の縁部９２から第１の距離Ｄ１の間隔が置かれた交差部９３において、横軸方向の折り線２１，４１と交わる。図１に見られる様に、折り線２１、４１と交差する弱化形態の線８５、８７の各端部が、ブランクの縁部９２から同様な距離Ｄ１の間隔を形成するため、弱化形態の線８５の切り込み部８５ａは、交差部９３において横軸方向の折り線２１、４１と交わる。
【００２２】
例示された実施態様においては、折り線２１、４１は、少なくとも約１８８ｍｍ（７．４インチ）の長さＬ３（図１）となり、間隔Ｄ１は少なくとも約１２．６ｍｍ（１／２インチ）である。１つの実施態様では、Ｄ１は少なくとも長さＬ３の約５パーセントである。ここに示される全ての寸法情報は、当該開示の典型的な態様として表現されるものであり、限定されるものではない。さらに、本開示の内容から逸脱することなく、ブランク３とカートン５の多様な機能は、ここにある記載される以外の寸法を有することができる。
【００２３】
例示された実施態様においては、弱化形態の線８９は、弱化形態の傾斜線８５、８７と横軸方向の折り線２１，４１の該交差部から延在するスコア（刻み目）線である。当該開示から逸脱することなく、弱化形態の線８９は例示以外の他の態様となりうる（例：連続的な切り目／折り線、非連続的な切り目／折り線）。
【００２４】
図２−６の参照してカートン５を組立てるための例示的な方法を述べる。図２及び図３は、カートン５の組立てにおける初期工程を示し、ここではブランク３のトップパネル１０の内側４に、容器Ｃがその上側を下にして置かれている。図４を参照すると、サイドパネル２０、４０は容器Ｃの方向へ上向きに折り曲げられる。サイドパネル２０、４０が上向きに折り曲げられる際、タックインパネル８６は、折り線８７を中心として内部方向にそれぞれ折り曲げられる。同時に、また結果として、図４に示される位置へ、サイド保持パネル８４は内部側へ引き寄せられ、かつトップ保持パネル８２は上方へ引き寄せられる。トップ保持パネル８２およびサイド保持パネル８４は、協働して容器Ｃの一部を部分的に包みこんでカートン５の４つのトップ隅部において、トップ保持部８０を形成する。以下に述べる様に、第２のボトムパネル５０を第１のボトムパネル３０にしっかりと取り付けた後、タックインパネルが容器Ｃとサイドパネル２０、４０の内側表面との間にそれぞれ挟まれる（例：保持される、挟持される等）ことにより、タックインパネル８６と保持パネル８２、８４は、定位置に保持される。
【００２５】
図５に例示される様に、主雌係止用端部６０へ係合している第１の主雄係止用タブ突起部７０により、第２のボトムパネル５０は第１のボトムパネル３０へしっかりと取り付けられる。雄係止用フラップ７２は、スリット６２にそれぞれ差し込まれ、該スリット６２との協働的な相互作用により、第２のボトムパネル５０を第１のボトムパネル３０にさらにしっかりと固定する。固定されたボトムパネル３０及び５０は、協働してカートン５のボトムパネル９０を形成する。容器Ｃのヒール部は、切り欠きパネル３６、５６とそれぞれ連携してカートン５が容器Ｃの周囲をしっかりと包みこむことを可能としている。
【００２６】
図６は、トップ保持部８０を形成する保持パネル及びタックインパネル８６の位置を示すため、容器Ｃが取り省かれた状態における、組み立てられたカートン５を示す。タックインパネルが折り線８７にて内側に折り曲げられる際、保持パネル８２、８４は、これに隣接する容器Ｃのトップ部分と当接するように配置されていて、カートン５において容器を保持するのに寄与している。図６に例示される様に、各タックインパネル８６とサイド保持パネル８４との間のＪ型切り込み部９１は、切れ目９１に隣接するサイド保持パネルの縁部が、タックインパネルに対して独立して位置決めすることができる。タックインパネル８６が、内方に折り曲げられてサイドパネル２０、４０の一方の内側表面に沿って位置づけられると、サイド保持パネル８４はＪ型切り込み部９１においてタックインパネルから分離することが可能とされており、これにより、サイド保持パネル８４とトップ保持パネル８２がカートン５の容器Ｃを保持するように位置決めされる。
【００２７】
図７及び図７Ａは、当該開示の第２の態様に従うカートンを形成するのに使用されるブランク１０３を示す。該第２の態様は、注記した変形形態並びに当業者には自明な他の変形形態を除いて、図１−６に示され説明された第１の態様に類似している。図７及び図７Ａにおいては、図１−６における参照番号について、類似な参照番号は、図７と図７Ａにおいて“１”が先頭に加わった参照番号により、類似または同様な要素を指し示す。ブランク１０３は、第１の態様のトップ保持部８０と同様なトップ保持部１８０を含む。図７と図７Ａの実施例において、トップパネル１０の各隅部にあるタックインパネル１８６とサイド保持パネル１８４は、タックインパネルとサイド保持パネルとを接続する弱化形態の傾斜線１８９に隣接する切り欠き１９１（例：切り抜き）により分離されている。切り欠き１９１は、第１の態様のＪ型切り込み部９１と置き換えられる。異なった形状の切り欠き１９１等は、当該開示内容の範囲内に存するものである。
【００２８】
当該開示により、ブランクは、例えば、コーティングされた厚紙やこれと同様の素材により形成することができる。例えば、ブランクの内側、及び／または外側は粘土性（クレー）コーティングによりコーティングされる。粘土性（クレー）コーティングには、生産物、宣伝、価格コード、およびその他の情報やイメージを印刷することができる。ブランクは、ブランク上に印刷された様々な情報を守るため、ワニスがコーティングされるであろう。ブランクは、また、例えば防湿層などが、ブランク片面もしくは両面にコーティングされる。以上で述べた態様に応じて、通常の紙よりも重くかつ硬い様な紙厚の厚紙にてブランクを作成することができる。ブランクは、また、ボール紙、硬質紙、もしくは少なくとも、概して、上記で述べられた機能を可能にするカートンに適合した特徴を持つ素材とする他の材料でも作成できる。ブランクは、また、選択されたパネルやパネルセクションにおいて、１つ以上のシート状素材で積層またはコーティングすることもできる。
【００２９】
当該開示の上記で述べた実施例に従って、折り線は、必ずしも直線である必要はないが、折り曲げることを促進するようなほぼ線状の弱化形態とすることができる。当該開示内容を狭める意図ではないが、より具体的には、折り線は、所望する弱化線に沿い素材に破砕部あるいは凹部を作成する、鈍いスコアリングナイフなどで形成された線またはその様なスコア（刻み目）ラインや、所望する弱化線に沿い素材中に部分的に貫通する切り目、および／または所望する弱化線に沿い素材に部分的におよび／または完全に貫通する一連の切り目、およびこれらの機能の多様な組合せ、を含むことができる。
【００３０】
前述の説明は、本発明の多様な実施態様を例示し述べている。多様な変形形態を上記の構成に行うことが可能であるため、上記に含まれ、もしくは添付の図面により示された全ての事柄は、例示目的であって、限定を意図するものではないと解釈されるべきである。さらに、当該開示は上記に説明した実施態様の多様な変形、組合せ、代替などの範囲に及ぶ。本請求項の意図や範囲を逸脱することなく、当該開示内容が上記の例示的な態様の参照と共に議論される場合、多くの追加、変形、そして変更がなされることは当業者によって理解されるであろう。さらに、それぞれの実施態様の一定の機能や特徴は、当該開示の範囲を逸脱することなく、その他の例示、そして例示されていない本発明の実施形態と選択的に交換および適用をしてもよい。
【図１】
2010534597.tif 000003
【図１Ａ】
2010534597.tif 000004
【図２】
2010534597.tif 000005
【図３】
2010534597.tif 000006
【図４】
2010534597.tif 000007
【図５】
2010534597.tif 000008
【図６】
2010534597.tif 000009
【図７】
2010534597.tif 000010
【図７Ａ】
2010534597.tif 000011
【国際調査報告】
2010534597.tif 000012
2010534597.tif 000013